(57)【要約】【課題】二重の日射遮蔽材を一本の操作コードでそれぞれ独立して引き上げ操作可能とするとともに、各日射遮蔽材を自重降下により下降操作可能とした昇降装置を提供する。【解決手段】一本の操作コード１８を操作して、日射遮蔽材を独立して昇降可能とする。日射遮蔽材の自重降下を阻止する状態と、自重降下を許容する状態とを選択可能とした第一及び第二のストッパーユニット４３ａ，４３ｂと、操作コード１８の一方への操作により、第一の日射遮蔽材２ａの引き上げ動作と、自重による下降動作と、自重降下防止動作とを選択可能とする第一のクラッチユニットと、操作コード１８の他方への操作により第二の日射遮蔽材の引き上げ動作と、自重による下降動作と、自重降下防止動作とを選択可能とする第二のクラッチユニットとを備えた。【選択図】　　　　図１
2004016422.tif 000002
【特許請求の範囲】
【請求項１】
ヘッドボックスから第一及び第二の日射遮蔽材を吊下支持し、前記ヘッドボックスから垂下される一本の無端状の操作コードを操作することにより第一及び第二の昇降動作部を動作させて、前記第一及び第二の日射遮蔽材を独立して昇降可能とした日射遮蔽材昇降装置において、
前記第一及び第二の日射遮蔽材の自重降下を阻止する状態と、自重降下を許容する状態とを選択可能とした第一及び第二のストッパーユニットと、
前記操作コードの一方への操作により、前記第一の昇降動作部及び第一のストッパーユニットを作動させて、前記第二の日射遮蔽材を昇降することなく前記第一の日射遮蔽材の引き上げ動作と、自重による下降動作と、自重降下防止動作とを選択可能とする第一のクラッチユニットと、
前記操作コードの他方への操作により、前記第二の昇降動作部及び第二のストッパーユニットを作動させて、前記第一の日射遮蔽材を昇降することなく前記第二の日射遮蔽材の引き上げ動作と、自重による下降動作と、自重降下防止動作とを選択可能とする第二のクラッチユニットと
を備えたことを特徴とする日射遮蔽材昇降装置。
【請求項２】
前記第一のクラッチユニットは、
前記操作コードの操作に基づいて回転される第一の回転ドラムと、
前記第一の昇降動作部を駆動する第一の伝達ドラムと、
前記第一の回転ドラムの回転を前記第一の伝達ドラムに伝達する第一のクラッチ部とから構成し、
前記第一のクラッチ部は、前記操作コードの一方への操作に基づく第一の回転ドラムの回転力を前記第一の伝達ドラムに伝達可能とし、前記第一の日射遮蔽材の自重降下に基づいて前記第一の伝達ドラムが回転されるとき、該伝達ドラムを第一の回転ドラムと切り離して自在に回転可能とし、
前記第二のクラッチユニットは、
前記操作コードの操作に基づいて回転される第二の回転ドラムと、
前記第二の昇降動作部を駆動する第二の伝達ドラムと、
前記第二の回転ドラムの回転を前記第二の伝達ドラムに伝達する第二のクラッチ部とから構成し、
前記第二のクラッチ部は、前記操作コードの他方への操作に基づく第二の回転ドラムの回転力を前記第二の伝達ドラムに伝達可能とし、前記第二の日射遮蔽材の自重降下に基づいて前記第二の伝達ドラムが回転されるとき、該伝達ドラムを第二の回転ドラムと切り離して自在に回転可能としたことを特徴とする請求項１記載の日射遮蔽材昇降装置。
【請求項３】
ヘッドボックスから第一及び第二の日射遮蔽材を吊下支持し、前記ヘッドボックスから垂下される一本の無端状の操作コードを操作することにより第一及び第二の昇降動作部を動作させて、前記第一及び第二の日射遮蔽材を独立して昇降可能とした日射遮蔽材昇降装置において、
前記第一の日射遮蔽材の自重降下を阻止する状態と、自重降下を許容する状態とを選択可能とした第一のストッパーユニットと、
前記第二の日射遮蔽材の自動引き上げ動作を阻止する状態と、自動引き上げ動作を許容する状態とを選択可能とした第二のストッパーユニットと、
前記操作コードの一方への操作により、前記第一の昇降動作部及び第一のストッパーユニットを作動させて、前記第二の日射遮蔽材を昇降することなく前記第一の日射遮蔽材の引き上げ動作と、自重による下降動作と、自重降下防止動作とを選択可能とする第一のクラッチユニットと、
前記操作コードの他方への操作により、前記第二の昇降動作部及び第二のストッパーユニットを作動させて、前記第一の日射遮蔽材を昇降することなく前記第二の日射遮蔽材の下降動作と、自動引き上げ動作と、自動引き上げ防止動作とを選択可能とする第二のクラッチユニットと
を備えたことを特徴とする日射遮蔽材昇降装置。
【請求項４】
前記第一及び第二のクラッチ部は、
シャフトに回転可能に支持されたクラッチドラムと、
前記クラッチドラムの外周面に形成された案内溝と、
前記案内溝に沿って移動するクラッチボールと、
前記クラッチドラムから作用する回転力に基づく該クラッチドラムの回転を阻止するとともに、前記第一若しくは第二の回転ドラムから作用する回転力に基づいて、該第一若しくは第二の回転ドラムとクラッチドラムとを一体に回転させるストップバネとから構成し、
前記案内溝は、前記第一若しくは第二の回転ドラムの回転力をクラッチボールを介して第一若しくは第二の伝達ドラムに伝達可能とする係合溝と、第一若しくは第二の伝達ドラムを第一若しくは第二の回転ドラムに対し自在に回転可能とする解除溝とから構成したことを特徴とする請求項２記載の日射遮蔽材昇降装置。
【請求項５】
前記第一及び第二のクラッチ部は、
シャフトに回転可能に支持されたクラッチドラムと、
前記クラッチドラムの外周面に形成された案内溝と、
前記第一若しくは第二の回転ドラムに形成され、前記案内溝に沿って移動するクラッチ凸部と、
前記クラッチドラムから作用する回転力に基づく該クラッチドラムの回転を阻止するとともに、前記第一若しくは第二の伝達ドラムから作用する回転力に基づいて、該第一若しくは第二の駆動ドラムとクラッチドラムとを一体に回転させるストップバネとから構成し、
前記案内溝は、第一若しくは第二の伝達ドラムを前記第一若しくは第二の駆動ドラムに係合させる位置に移動させる係合溝と、第一若しくは第二の伝達ドラムを前記第一若しくは第二の駆動ドラムに対し自在に回転可能とする解除溝とから構成したことを特徴とする請求項２記載の日射遮蔽材昇降装置。
【請求項６】
前記操作コードの操作に基づいて前記第一及び第二の回転ドラムに回転力を伝達するトルク伝達手段と該第一及び第二の回転ドラムとは、所定角度に限り互いにトルクを伝達しない空転領域を備えたことを特徴とする請求項１乃至５のいずれかに記載の日射遮蔽材昇降装置。
【請求項７】
前記第一及び第二の昇降動作部は、たくし上げカーテンのカーテン生地若しくはロールブラインドのスクリーンのいずれかを昇降することを特徴とする請求項１乃至６のいずれかに記載の日射遮蔽材昇降装置。
【発明の詳細な説明】
【０００１】
【発明の属する技術分野】
この発明は、横型ブラインド、たくし上げカーテン、プリーツカーテン、ロールブラインド等の日射遮蔽装置において、日射遮蔽材を二重に吊下支持し、一本の操作コードで各遮蔽材を昇降操作可能とするとともに、各遮蔽材の下降操作は該遮蔽材の自重を利用して行う昇降装置に関するものである。
【０００２】
【従来の技術】
特開平１１−１８７９７３号公報に記載されたたくし上げカーテンでは、ボールチェーンを操作することにより、カーテン生地を昇降可能である。そして、ボールチェーンをカーテン生地の引き上げ方向に操作すれば、カーテン生地の引き上げ操作が可能である。
【０００３】
カーテン生地を所望位置まで引き上げた後、ボールチェーンを手放せば、ストッパの動作により、カーテン生地の自重降下が防止されて、カーテン生地が所望位置に吊下支持される。
【０００４】
また、カーテン生地を下降操作する場合には、ボールチェーンをカーテン生地の引き上げ方向に僅かに操作した後、ボールチェーンを手放すと、ストッパの動作が解除されて、カーテン生地が自重降下する。
【０００５】
また、カーテン生地が所望位置に吊下支持されている状態から、ボールチェーンをカーテン生地の引き上げ方向に操作すれば、カーテン生地をさらに引き上げ操作することが可能である。
【０００６】
特開平１０−１７６４７１号公報に記載されたロールブラインドでは、一本の操作コードを一方へ操作することにより、一方のスクリーンの昇降操作が可能であり、操作コードを他方へ操作することにより、他方のスクリーンの昇降操作が可能である。
【０００７】
【発明が解決しようとする課題】
特開平１１−１８７９７３号公報に記載されたたくし上げカーテンの昇降装置では、カーテン生地を二重とすれば、そのカーテン生地を昇降操作するためのボールチェーンも２本必要となる。
【０００８】
各カーテン生地を操作するためには、いずれかの昇降コードを選択して操作する必要がある。また、双方のカーテン生地を操作するためには、一方のボールチェーンを操作した後、他方のボールチェーンに持ち替えて操作する必要がある。従って、カーテン生地の昇降操作が煩雑となるという問題点がある。
【０００９】
特開平１０−１７６４７１号公報に記載された昇降装置では、二重のスクリーンを一本の操作コードで昇降操作することはできるが、スクリーンの下降操作をその自重を利用して下降させることはできない。
【００１０】
この発明の目的は、二重の日射遮蔽材を一本の操作コードでそれぞれ独立して昇降操作可能とするとともに、各日射遮蔽材の引き上げ操作あるいは下降操作のいずれかを操作コードのワンタッチ操作により自動動作可能として、日射遮蔽材を容易に昇降操作可能とした昇降装置を提供することにある。
【００１１】
【課題を解決するための手段】
請求項１では、ヘッドボックスから第一及び第二の日射遮蔽材を吊下支持し、前記ヘッドボックスから垂下される一本の無端状の操作コードを操作することにより第一及び第二の昇降動作部を動作させて、前記第一及び第二の日射遮蔽材を独立して昇降可能とした日射遮蔽材昇降装置において、前記第一及び第二の日射遮蔽材の自重降下を阻止する状態と、自重降下を許容する状態とを選択可能とした第一及び第二のストッパーユニットと、前記操作コードの一方への操作により、前記第一の昇降動作部及び第一のストッパーユニットを作動させて、前記第二の日射遮蔽材を昇降することなく前記第一の日射遮蔽材の引き上げ動作と、自重による下降動作と、自重降下防止動作とを選択可能とする第一のクラッチユニットと、前記操作コードの他方への操作により、前記第二の昇降動作部及び第二のストッパーユニットを作動させて、前記第一の日射遮蔽材を昇降することなく前記第二の日射遮蔽材の引き上げ動作と、自重による下降動作と、自重降下防止動作とを選択可能とする第二のクラッチユニットとを備えた。
【００１２】
請求項２では、前記第一のクラッチユニットは、前記操作コードの操作に基づいて回転される第一の回転ドラムと、前記第一の昇降動作部を駆動する第一の伝達ドラムと、前記第一の回転ドラムの回転を前記第一の伝達ドラムに伝達する第一のクラッチ部とから構成し、前記第一のクラッチ部は、前記操作コードの一方への操作に基づく第一の回転ドラムの回転力を前記第一の伝達ドラムに伝達可能とし、前記第一の日射遮蔽材の自重降下に基づいて前記第一の伝達ドラムが回転されるとき、該伝達ドラムを第一の回転ドラムと切り離して自在に回転可能とし、前記第二のクラッチユニットは、前記操作コードの操作に基づいて回転される第二の回転ドラムと、前記第二の昇降動作部を駆動する第二の伝達ドラムと、前記第二の回転ドラムの回転を前記第二の伝達ドラムに伝達する第二のクラッチ部とから構成し、前記第二のクラッチ部は、前記操作コードの他方への操作に基づく第二の回転ドラムの回転力を前記第二の伝達ドラムに伝達可能とし、前記第二の日射遮蔽材の自重降下に基づいて前記第二の伝達ドラムが回転されるとき、該伝達ドラムを第二の回転ドラムと切り離して自在に回転可能とした。
【００１３】
請求項３では、ヘッドボックスから第一及び第二の日射遮蔽材を吊下支持し、前記ヘッドボックスから垂下される一本の無端状の操作コードを操作することにより第一及び第二の昇降動作部を動作させて、前記第一及び第二の日射遮蔽材を独立して昇降可能とした日射遮蔽材昇降装置において、前記第一の日射遮蔽材の自重降下を阻止する状態と、自重降下を許容する状態とを選択可能とした第一のストッパーユニットと、前記第二の日射遮蔽材の自動引き上げ動作を阻止する状態と、自動引き上げ動作を許容する状態とを選択可能とした第二のストッパーユニットと、前記操作コードの一方への操作により、前記第一の昇降動作部及び第一のストッパーユニットを作動させて、前記第二の日射遮蔽材を昇降することなく前記第一の日射遮蔽材の引き上げ動作と、自重による下降動作と、自重降下防止動作とを選択可能とする第一のクラッチユニットと、前記操作コードの他方への操作により、前記第二の昇降動作部及び第二のストッパーユニットを作動させて、前記第一の日射遮蔽材を昇降することなく前記第二の日射遮蔽材の下降動作と、自動引き上げ動作と、自動引き上げ防止動作とを選択可能とする第二のクラッチユニットとを備えた。
【００１４】
請求項４では、前記第一及び第二のクラッチ部は、シャフトに回転可能に支持されたクラッチドラムと、前記クラッチドラムの外周面に形成された案内溝と、前記案内溝に沿って移動するクラッチボールと、前記クラッチドラムから作用する回転力に基づく該クラッチドラムの回転を阻止するとともに、前記第一若しくは第二の回転ドラムから作用する回転力に基づいて、該第一若しくは第二の回転ドラムとクラッチドラムとを一体に回転させるストップバネとから構成し、前記案内溝は、前記第一若しくは第二の回転ドラムの回転力をクラッチボールを介して第一若しくは第二の伝達ドラムに伝達可能とする係合溝と、第一若しくは第二の伝達ドラムを第一若しくは第二の回転ドラムに対し自在に回転可能とする解除溝とから構成した。
【００１５】
請求項５では、前記第一及び第二のクラッチ部は、シャフトに回転可能に支持されたクラッチドラムと、前記クラッチドラムの外周面に形成された案内溝と、前記第一若しくは第二の回転ドラムに形成され、前記案内溝に沿って移動するクラッチ凸部と、前記クラッチドラムから作用する回転力に基づく該クラッチドラムの回転を阻止するとともに、前記第一若しくは第二の伝達ドラムから作用する回転力に基づいて、該第一若しくは第二の駆動ドラムとクラッチドラムとを一体に回転させるストップバネとから構成し、前記案内溝は、第一若しくは第二の伝達ドラムを前記第一若しくは第二の駆動ドラムに係合させる位置に移動させる係合溝と、第一若しくは第二の伝達ドラムを前記第一若しくは第二の駆動ドラムに対し自在に回転可能とする解除溝とから構成した。
【００１６】
請求項６では、前記操作コードの操作に基づいて前記第一及び第二の回転ドラムに回転力を伝達するトルク伝達手段と該第一及び第二の回転ドラムとは、所定角度に限り互いにトルクを伝達しない空転領域を備えた。
【００１７】
請求項７では、前記第一及び第二の昇降動作部は、たくし上げカーテンのカーテン生地若しくはロールブラインドのスクリーンのいずれかを昇降する。
【００１８】
【発明の実施の形態】
（第一の実施の形態）
以下、この発明を日射遮蔽装置としての二重たくし上げカーテンに具体化した第一の実施の形態を図面に従って説明する。
【００１９】
図１及び図２に示すように、ヘッドボックス１の前面からたくし上げカーテンの前側生地２ａが日射遮蔽材として吊下支持され、ヘッドボックス１の後面から後側生地２ｂが同じく日射遮蔽材として吊下支持されている。
【００２０】
前記前側生地２ａ及び後側生地２ｂの後面には、複数本のリングテープ３が上下方向に取着され、そのリングテープ３には複数のリング４が等間隔に取着されている。
【００２１】
前記前側生地２ａに取着されたリング４には昇降コード５ａが挿通される。前記昇降コード５ａの上端部は、図３に示すように、前記ヘッドボックス１内で支持部材６に回転可能に支持される巻取軸７ａに前記ヘッドボックス１の前側から巻着されている。
【００２２】
前記昇降コード５ａの下端にはフック８ａが取着され、そのフック８ａには前記複数のリング４のうち最下部に位置するリング４が吊下支持されている。従って、前記巻取軸７ａで昇降コード５ａが巻き取られると、図２に示すように、前側生地２ａが下端部から順に折り畳まれながら引き上げられる。
【００２３】
また、昇降コード５ａが巻戻されると、前側生地２ａはその上部から順に、ヘッドボックス１から垂下される状態に復帰する。
前記後側生地２ｂのリング４には昇降コード５ｂが挿通される。前記昇降コード５ｂの上端部は、図３に示すように、前記巻取軸７ａの後方において、前記支持部材６に回転可能に支持される巻取軸７ｂに前記ヘッドボックス１の後側から巻着されている。
【００２４】
前記昇降コード５ｂの下端にはフック８ｂが取着され、そのフック８ｂには前記複数のリング４のうち最下部に位置するリング４が吊下支持されている。従って、前記巻取軸７ｂで昇降コード５ｂが巻き取られると、後側生地２ｂが下端部から順に折り畳まれながら引き上げられる。
【００２５】
また、昇降コード５ｂが巻戻されると、後側生地２ｂはその上部から順に、ヘッドボックス１から垂下される状態に復帰する。
前記巻取軸７ａ，７ｂの中心部には、六角軸で構成される駆動軸９ａ，９ｂが挿通され、その駆動軸９ａ，９ｂの回転に基づいて巻取軸７ａ，７ｂが回転される。
【００２６】
上記のような昇降コード５ａ、巻取軸７ａ、駆動軸９ａにより第一の昇降動作部が構成され、昇降コード５ｂ、巻取軸７ｂ、駆動軸９ｂにより第二の昇降動作部が構成される。
【００２７】
次に、前記駆動軸９ａ，９ｂを回転駆動するための操作装置について説明する。
前記ヘッドボックス１の一端に設けられる操作装置１０は、図４に示すように、ケース１１の基端部がヘッドボックス１の端部に嵌着固定される。ケース１１の先端部はヘッドボックス１の下縁より下方に延接され、図７に示すプレート１２を介して同先端部と同形状のキャップ１３がネジ着される。
【００２８】
図５及び図６に示すように、前記ケース１１の先端部には支軸１４ａが形成され、前記キャップ１３の下部には前記支軸１４ａに対向するように支軸１４ｂが形成されている。前記ケース１１の先端部内において、前記支軸１４ａ，１４ｂには駆動ギヤ１５が回転可能に支持されている。
【００２９】
前記駆動ギヤ１５は、六角軸状の軸部１６がキャップ１３側に突出され、その軸部１６にプーリー１７が嵌着されている。前記プーリー１７には無端状のボールチェーン１８が操作コードとして掛装されている。
【００３０】
そして、ボールチェーン１８の操作によりプーリー１７が回転されると、前記駆動ギヤ１５がプーリー１７と一体に回転されるようになっている。なお、前記駆動ギヤ１５とプーリー１７との間に前記プレート１２が介在されている。
【００３１】
前記駆動ギヤ１５及びプーリー１７の上方において、駆動ギヤ１５の回転中心から等距離を隔てた位置に２本の第一及び第二のシャフト１９ａ，１９ｂが配設されている。前記第一及び第二のシャフト１９ａ，１９ｂはその先端部が六角軸状に形成され、その先端部が前記プレート１２及びキャップ１３に形成された六角孔２０ａ，２０ｂに嵌合されている。
【００３２】
従って、第一及び第二のシャフト１９ａ，１９ｂはキャップ１３及びプレート１２を介して前記ヘッドボックス１に対し回転不能に支持される。
図６に示すように、前記第一及び第二のシャフト１９ａ，１９ｂには、前記駆動ギヤ１５に噛合う伝達ギヤ２１ａ，２１ｂが回転可能に支持されている。そして、駆動ギヤ１５が図６に示す矢印Ａ方向に回転されると、伝達ギヤ２１ａ，２１ｂは矢印ｂ方向に回転され、駆動ギヤ１５が矢印Ｂ方向に回転されると、伝達ギヤ２１ａ，２１ｂは矢印ａ方向に回転される。
【００３３】
図８に示すように、前記伝達ギヤ２１ａ，２１ｂの先端側には、ギヤ部より径の大きい円板部２２が形成され、その円板部の外周部には、先端側に向かって突出する２つの凸部２３が中心に対し線対称状に形成されている。
【００３４】
そして、伝達ギヤ２１ａ，２１ｂ（トルク伝達手段）の回転が、前記凸部２３を介して、第一及び第二のシャフト１９ａ，１９ｂに支持される第一及び第二のクラッチユニット２４ａ，２４ｂに伝達される。
【００３５】
次に、前記第一のクラッチユニット２４ａの構成を説明する。図８及び図１５（ａ）（ｂ）に示すように、第一のクラッチユニット２４ａは回転ドラム２５と、第一のクラッチ部としてのクラッチドラム２６と、伝達ドラム２７と、ストップバネ２８及びスリップバネ２９及び前記第一のシャフト１９ａとから構成される。
【００３６】
前記回転ドラム２５は、円筒状に形成されるとともに、先端部に形成された透孔３０に第一のシャフト１９ａが貫通されて、同第一のシャフト１９ａに回転可能に、かつ軸方向に移動不能に支持されている。
【００３７】
回転ドラム２５の先端面外周部には、前記伝達ギヤ２１ａの凸部２３に係合可能とした切り欠き部３１が中心に対し９０°の範囲で形成されている。従って、伝達ギヤ２１ａは回転ドラム２５に対し９０°の範囲で相対回転可能であり、凸部２３が切り欠き部３１の端縁に当接した後は、回転ドラム２５が伝達ギヤ２１ａと一体に回転されるようになっている。
【００３８】
回転ドラム２５の先端縁には、半長円状の凹部３２が前記第一のシャフト１９ａの軸方向に形成されている。
前記クラッチドラム２６は、第一のシャフト１９ａに対し回転可能に、かつ軸方向に移動不能に支持され、その一方には前記回転ドラム２５内に突出する係合片３３が形成されている。
【００３９】
前記係合片３３は中心に対し６０°の範囲で形成され、回転ドラム２５内には、図９に示すように、係合片３３の回動軌跡上において１８０°の範囲で段部３４が形成されている。
【００４０】
従って、クラッチドラム２６は係合片３３の端縁が段部３４の端縁に当接するまでのほぼ１２０°の範囲で回転ドラム２５に対し相対回動可能となっている。前記クラッチドラム２６と回転ドラム２５との間において、前記第一のシャフト１９ａには前記ストップバネ２８が巻着されている。ストップバネ２８は、図１０（ａ）（ｂ）に示すように、その両端部３５ａ，３５ｂが前記係合片３３の両側において、回転ドラム２５の段部３４の回動軌跡上に突出するように折り曲げられている。
【００４１】
そして、係合片３３が端部３５ａ，３５ｂのいずれかに当接すると、ストップバネ２８と第一のシャフト１９ａとの摩擦が増大して、クラッチドラム２６の回転が阻止される。
【００４２】
また、回転ドラム２５の段部３４が端部３５ａ，３５ｂのいずれかに当接すると、ストップバネ２８と第一のシャフト１９ａとの摩擦が減少して、クラッチドラム２６及びストップバネ２８が回転ドラム２５と一体に回転するようになっている。
【００４３】
前記クラッチドラム２６の外周面には、断面半円状の案内溝３６が周方向に形成されている。その案内溝３６は、図１１に示すように、中央部の係合溝３７に対し、両端部の解除溝３８が回転ドラム２５側にオフセットされるように連続して形成されている。
【００４４】
前記案内溝３６には、図１５（ａ）（ｂ）に示すように、鋼球で形成されるクラッチボール３９が同案内溝３６内を移動可能に収容される。また、クラッチボール３９が案内溝３６内を移動するとき、そのクラッチボール３９は、図１２〜図１４に示すように、前記回転ドラム２５の凹部３２に対し出没するようになっている。
【００４５】
図１５に示すように、前記クラッチドラム２６と第一のシャフト１９ａとの間には、前記スリップバネ２９が配設されている。そして、クラッチドラム２６は第一のシャフト１９ａを支点とするスリップバネ２９の付勢力により、前記伝達ドラム２７に向かって付勢されている。
【００４６】
前記伝達ドラム２７は、前記第一のシャフト１９ａに対し回転可能に、かつ軸方向に移動不能に支持される。伝達ドラム２７の先端部は、前記クラッチドラム２６の外周を回転可能に形成され、その先端面には前記回転ドラム２５に向かって突出する係止突起４０が等間隔に３つ形成されている。
【００４７】
そして、図１４に示すように、クラッチボール３９が係合溝３７内に移動したとき、同クラッチボール３９がいずれかの係止突起４０に係合する位置まで移動するようになっている。
【００４８】
図４及び図８に示すように、前記伝達ドラム２７の基端部には一対の連結片４１が形成され、その連結片４１がジョイントキャップ４２に嵌着されている。また、前記ジョイントキャップ４２の中心部には六角孔が形成され、その六角孔に前記駆動軸９ａが嵌挿されている。
【００４９】
従って、駆動軸９ａはジョイントキャップ４２を介して伝達ドラム２７と一体に回転する。
前記第二のクラッチユニット２４ｂは、図１６（ａ）（ｂ）に示すように、クラッチボール３９が係止突起４０に対し反対側に位置する点を除いて、第一のクラッチユニット２４ａと同様な構成である。第二のクラッチユニット２４ｂのクラッチドラム２６は第二のクラッチ部として動作する。
【００５０】
図１に示すように、前記ジョイントキャップ４２に隣接して第一及び第二のストッパーユニット４３ａ，４３ｂが配設される。この第一及び第二のストッパーユニット４３ａ，４３ｂは、逆方向の回転に基づいて同様に動作する点を除いて同一構成であるので、第一のストッパーユニット４３ａについてのみ説明する。
【００５１】
前記第一のストッパーユニット４３ａは、例えば特開平１１−１８７９７３号公報に記載されたストッパと同様な構成である。図１７に示すように、ストッパードラム４４は、前記駆動軸９ａが中心部に嵌挿されて、同駆動軸９ａと一体に回転する。
【００５２】
ストッパーケース４５は、ストッパードラム４４の周囲に配設されて、前記ヘッドボックス１に対し回転不能に支持される。ストッパーボール４６は、そのストッパードラム４４とストッパーケース４５との間に配設される。
【００５３】
前記ストッパーケース４５の内周面には前記ストッパーボール４６を前記駆動軸９ａに沿う方向に移動可能に支持する断面半円状のスライド溝４７が形成される。前記ストッパードラム４４の外周面には、同じく断面半円状の案内溝４８が外周面上を周回するように形成されている。
【００５４】
前記ストッパーボール４６は前記スライド溝４７及びストッパー案内溝４８に沿って移動可能である。従って、ストッパードラム４４が回転されると、ストッパーボール４６はストッパー案内溝４８に沿ってストッパードラム４４の外周面上を相対的に周回しながら、スライド溝４７に沿って移動する。
【００５５】
前記ストッパー案内溝４８の構成を図１８に示す展開図に従って説明する。図１８において、ストッパードラム４４が前側生地２ａの引き上げ方向に回転されると、ストッパーボール４６はストッパー案内溝４８上を相対的に矢印Ｃ方向に移動する。
【００５６】
また、ストッパードラム４４が前側生地２ａの引き下げ方向に回転されると、ストッパーボール４６はストッパー案内溝４８上を相対的に矢印Ｄ方向に移動する。
【００５７】
前記ストッパードラム４４の外周面一側には引き下げ溝４９が形成される。前記引き下げ溝４９には、矢印Ｃ方向に分岐する第一の戻り溝５０が連通し、第一の戻り溝５０は引き上げ溝５１に対し矢印Ｃ方向に合流している。
【００５８】
前記引き上げ溝５１には、矢印Ｄ方向に分岐するストップ溝５２が連通し、ストップ溝５２は矢印Ｄ方向には係止部５３で行き止まりとなり、矢印Ｃ方向に延びる第二の戻り溝５４を経て、前記引き下げ溝４９に合流している。
【００５９】
このように構成された第一のストッパーユニット４３ａでは、前記ボールチェーン１８の操作に基づいて、第一のクラッチユニット２４ａを介して駆動軸９ａが前側生地２ａの引き上げ方向に回転されると、ストッパーボール４６は引き上げ溝５１内を矢印Ｃ方向に移動する。
【００６０】
前側生地２ａを所望位置まで引き上げた後、ボールチェーン１８を手放すと、前側生地２ａの重量により、昇降コード５ａが巻き戻されて、駆動軸９ａを介してストッパードラム４４が回転され、ストッパーボール４６が引き上げ溝５１内を矢印Ｄ方向に移動する。
【００６１】
すると、ストッパーボール４６は係止部５３に係合して、ストッパードラム４４のそれ以上の回転が阻止される。従って、この状態では前側生地２ａの自重降下が阻止される。
【００６２】
次いで、前側生地２ａを下降操作する場合には、ボールチェーン１８を操作して前側生地２ａを僅かに引き上げれば、ストッパーボール４６は係止部５３から第二の戻り溝５４を経て引き下げ溝４９内に案内される。
【００６３】
すると、ストッパーボール４６は引き下げ溝４９内を矢印Ｄ方向に周回可能となるので、ボールチェーン１８を手放せば、前側生地２ａの自重による下降操作が可能となる。
【００６４】
また、ストッパーボール４６が係止部５３に係合している状態から、さらに前側生地２ａを引き上げる場合には、ボールチェーン１８を前側生地２ａの引き上げ方向に操作する。
【００６５】
すると、ストッパーボール４６は係止部５３から第二の戻り溝５４を経て引き下げ溝４９内に案内され、さらに第一の戻り溝５０を経て引き上げ溝５１内に案内される。従って、ボールチェーン１８による前側生地２ａの引き上げ操作が可能となる。
【００６６】
前記ストッパーユニット４３ｂは、ストッパーユニット４３ａの駆動軸９ａとは逆方向となる駆動軸９ｂの回転に基づいて、第一のストッパーユニット４３ａと同様に動作する。
【００６７】
次に、上記のように構成された二重たくし上げカーテンの動作を説明する。
［前側生地２ａの引き上げ操作］
前側生地２ａを引き上げるには、プーリー１７から室内側に垂下されるボールチェーン１８を下方へ引く。すると、駆動ギヤ１５は図６に示す矢印Ａ方向に回転され、これにともなって伝達ギヤ２１ａ，２１ｂは矢印ａ方向に回転される。
【００６８】
伝達ギヤ２１ａの回転にともなって、第一のクラッチユニット２４ａの回転ドラム２５が同方向に回転される。すると、回転ドラム２５がクラッチドラム２６に対し相対回転して、図１２〜図１４に示すように、クラッチボール３９が解除溝３８内から係合溝３７内に移動する。そして、クラッチボール３９が回転ドラム２５の凹部３２と伝達ドラム２７の係止突起４０とに係合する状態となる。
【００６９】
また、図１０（ｂ）に示すように、回転ドラム２５の段部３４がストップバネ２８の端部３５ａに当接する。すると、ストップバネ２８と第一のシャフト１９ａとの摩擦が低減して、回転ドラム２５とストップバネ２８及びクラッチドラム２６とが一体に回転する状態となる。従って、回転ドラム２５の回転が伝達ドラム２７に伝達される。
【００７０】
伝達ドラム２７が回転されると、ジョイントキャップ４２を介して駆動軸９ａが回転される。すると、巻取軸７ａが回転されて、昇降コード５ａが巻き取られ、前側生地２ａが引き上げられる。
【００７１】
このとき、第一のストッパーユニット４３ａでは駆動軸９ａの回転にともなってストッパードラム４４が回転する。そして、ストッパーボール４６が係止部５３から矢印Ｃ方向に相対移動して、引き下げ溝４９内を移動し、第一の戻り溝５０を経て引き上げ溝５１内に移動し、引き上げ溝５１内を周回する状態となる。
【００７２】
従って、室内側に垂下されるボールチェーン１８を下方へ引くことにより、前側生地２ａが引き上げられる。
このような前側生地２ａの引き上げ操作時に、後側生地２ｂが昇降されることはない。すなわち、駆動ギヤ１５が矢印Ａ方向に回転されて、伝達ギヤ２１ｂが矢印ｂ方向に回転される。すると、図１６（ａ）（ｂ）に示すように、クラッチドラム２６の回転がストップバネ２８により阻止された状態で、第二のクラッチユニット２４ｂの回転ドラム２５の回転に基づいてクラッチボール３９が係合溝３７から解除溝３８内へ移動する。
【００７３】
この状態では、クラッチボール３９が凹部３２内に移動するため、伝達ドラム２７の係止突起４０に係合することはない。従って、回転ドラム２５の回転が伝達ドラム２７に伝達されることはない。
【００７４】
また、クラッチボール３９が凹部３２内に移動した後、回転ドラム２５の段部３４がストップバネ２８の端部３５ａに当接すると、回転ドラム２５とストップバネ２８及びクラッチドラム２６とが一体に回転する。
【００７５】
ストッパーユニット４３ｂでは、ストッパーボール４６が係止部５３に係合し、後側生地２ｂの自重降下を阻止する状態にある。従って、前側生地２ａの引き上げ操作時に後側生地２ｂが昇降することはない。
【００７６】
［前側生地２ａの引き上げ停止操作］
前側生地２ａを所望位置まで引き上げた後、ボールチェーン１８を手放すと、前側生地２ａの重量により駆動軸９ａが昇降コード５ａの巻き戻し方向に回転しようとする。
【００７７】
すると、第一のストッパーユニット４３ａにおいて、ストッパーボール４６が引き上げ溝５１内を矢印Ｄ方向に移動して、係止部５３に係合する。すると、駆動軸９ａのそれ以上の回転が阻止され、前側生地２ａの自重降下が阻止される。
【００７８】
このとき、駆動軸９ａの回転にともなって伝達ドラム２７が回転され、伝達ドラム２７の回転にともなって回転ドラム２５が回転される。すると、クラッチボール３９が、図１９〜図２１に示すように、係合溝３７から解除溝３８に移動する。また、回転ドラム２５は伝達ギヤ２１ａに対し切り欠き部３１の範囲で相対回転可能であるので、回転ドラム２５の回転が伝達ギヤ２１ａに伝達されることはない。
【００７９】
従って、駆動ギヤ１５が回転されることはないので、第二のクラッチユニット２４ｂは動作せず、後側生地２ｂが引き上げられることもない。
［前側生地２ａの下降操作］
前側生地２ａを下降操作する場合には、室内側に垂下されるボールチェーン１８を僅かに下方へ引く。すると、駆動ギヤ１５及び伝達ギヤ２１ａを介して第一のクラッチユニット２４ａの回転ドラム２５が回転され、回転ドラム２５の回転に基づいて伝達ドラム２７が回転される。
【００８０】
伝達ドラム２７の回転に基づいて、第一のストッパーユニット４３ａのストッパードラム４４が回転され、ストッパーボール４６が図１８に示す矢印Ｃ方向に移動し、係止部５３から第二の戻り溝５４を経て引き下げ溝４９内に移動する。
【００８１】
この状態で、ボールチェーン１８を手放すと、ストッパーボール４６は引き下げ溝４９内を相対的に矢印Ｄ方向に周回可能な状態となり、ストッパードラム４４が回転可能な状態となる。
【００８２】
すると、駆動軸９ａ及び巻取軸７ａが回転可能な状態となり、前側生地２ａの重量により巻取軸７ａから昇降コード５ａが巻き戻されて、前側生地２ａが下限まで下降可能となる。
【００８３】
このような下降動作の開始時には、駆動軸９ａの回転にともなって伝達ドラム２７及び回転ドラム２５が回転されるが、クラッチドラム２６はストップバネ２８によりその回転が阻止されている。
【００８４】
すると、ストッパーボール４６は図１９〜図２１に示すように、案内溝３６内において係合溝３７から解除溝３８に向かって移動し、図２１に示すように解除溝３８内に移動する。
【００８５】
従って、回転ドラム２５がわずかに回転した後は、伝達ドラム２７の回転が回転ドラム２５に伝達されることはない。
このような前側生地２ａの下降操作時において、ボールチェーン１８の操作により駆動ギヤ１５を介して伝達ギヤ２１ｂがわずかに回転される。しかし、第二のクラッチユニット２４ｂでは図１５及び図１６に示すように、クラッチボール３９が伝達ドラム２７の係止突起４０から離れる方向に移動するため、伝達ドラム２７が回転されることはない。
【００８６】
従って、前側生地２ａを下降させるためにボールチェーン１８を操作するとき、後側生地２ｂが動作することはない。
また、前側生地２ａが下降動作を開始するとき、回転ドラム２５がわずかに回転されるが、回転ドラム２５は切り欠き部３１により伝達ギヤ２１ａに対し相対回転するので、回転ドラム２５の回転が伝達ギヤ２１ａに伝達されることはない。従って、前側生地２ａの下降操作により後側生地２ｂが動作することはない。
【００８７】
［前側生地２ａの下降停止操作］
前側生地２ａの下降動作を途中で停止させる場合には、室内側に垂下されるボールチェーン１８をわずかに下方へ引く。すると、駆動ギヤ１５が回転され、伝達ギヤ２１ａを介して第一のクラッチユニット２４ａの回転ドラム２５が回転される。
【００８８】
回転ドラム２５の回転に基づいて、回転ドラム２５がクラッチドラム２６に対し相対回転して、クラッチボール３９は図２１、図２０及び図１９に示すように、解除溝３８内から係合溝３７内に移動する。
【００８９】
すると、伝達ドラム２７の係止突起４０がクラッチボール３９に係合して、伝達ドラム２７の回転が阻止される。この結果、駆動軸９ａの回転が阻止されて、ストッパードラム４４の回転が停止されるとともに、前側生地２ａの下降動作が停止される。
【００９０】
この状態からさらに回転ドラム２５が回転されると、第一のストッパーユニット４３ａにおいて、ストッパーボール４６が引き下げ溝４９内を矢印Ｃ方向に移動し、第一の戻り溝５０を経て、引き上げ溝５１内に移動する。
【００９１】
この状態でボールチェーン１８を手放すと、前側生地２ａの重量により駆動軸９ａが回転されて、ストッパードラム４４が回転され、ストッパーボール４６は引き上げ溝５１内を矢印Ｄ方向に相対移動する。
【００９２】
すると、ストッパーボール４６は係止部５３に係止されてそれ以上の相対移動が阻止されるので、駆動軸９ａの回転が阻止される。従って、前側生地２ａの下降動作が停止される。
【００９３】
このような下降停止操作時にも、上記前側生地２ａの引き上げ操作時及び下降操作時と同様に、ボールチェーン１８の操作により後側生地２ｂが動作することはない。
【００９４】
［後側生地２ｂの引き上げ操作］
後側生地２ｂを引き上げるには、プーリー１７から室外側に垂下されるボールチェーン１８を下方へ引く。すると、駆動ギヤ１５は図６に示す矢印Ｂ方向に回転され、これにともなって伝達ギヤ２１ａ，２１ｂは矢印ａ方向に回転される。
【００９５】
伝達ギヤ２１ｂの回転にともなって、第二のクラッチユニット２４ｂの回転ドラム２５が同方向に回転される。そして、第二のクラッチユニット２４ｂ及びストッパーユニット４３ｂが、その回転方向を除いて、上記前側生地２ａの引き上げ操作にともなう第一のクラッチユニット２４ａ及び第一のストッパーユニット４３ａと同様に動作する。
【００９６】
この結果、駆動軸９ｂが回転されて、昇降コード５ｂが巻き上げられ、後側生地２ｂが引き上げられる。
このような後側生地２ｂの引き上げ操作時に、前側生地２ａが昇降されることはない。すなわち、駆動ギヤ１５が矢印Ｂ方向に回転されて、伝達ギヤ２１ａが矢印ｂ方向に回転される。すると、第一のクラッチユニット２４ａにおいて、図１５及び図１６に示すように、クラッチドラム２６の回転がストップバネ２８により阻止された状態で、回転ドラム２５の回転に基づいてクラッチボール３９が係合溝３７から解除溝３８内へ移動する。
【００９７】
この状態では、クラッチボール３９が凹部３２内に移動するため、回転ドラムの係止突起４０に係合することはない。従って、回転ドラム２５の回転が伝達ドラム２７に伝達されることはない。
【００９８】
また、クラッチボール３９が凹部３２内に移動した後、回転ドラム２５の段部３４がストップバネ２８の端部３５ａに当接すると、回転ドラム２５とストップバネ２８及びクラッチドラム２６とが一体に回転する。
【００９９】
第一のストッパーユニット４３ａでは、ストッパーボール４６が係止部５３に係合し、前側生地２ａの自重降下を阻止する状態にある。従って、後側生地２ｂの引き上げ操作時に前側生地２ａが動作することはない。
【０１００】
［後側生地２ｂの下降操作］
後側生地２ｂを下降操作する場合には、室外側に垂下されるボールチェーン１８を僅かに下方へ引く。すると、駆動ギヤ１５及び伝達ギヤ２１ｂを介して第二のクラッチユニット２４ｂの回転ドラム２５が回転され、回転ドラム２５の回転に基づいて伝達ドラム２７が回転される。
【０１０１】
伝達ドラム２７の回転に基づいて、ストッパーユニット４３ｂのストッパードラム４４が回転され、ストッパードラム４４が回転されて、ストッパーボール４６が図１８に示す矢印Ｃ方向に移動し、係止部５３から第二の戻り溝５４を経て引き下げ溝４９内に移動する。
【０１０２】
この状態で、ボールチェーン１８を手放すと、ストッパーボール４６は引き下げ溝４９内を相対的に矢印Ｄ方向に周回可能な状態となり、ストッパードラム４４が回転可能な状態となる。
【０１０３】
すると、駆動軸９ｂ及び巻取軸７ｂが回転可能な状態となり、後側生地２ｂの重量により巻取軸７ｂから昇降コード５ｂが巻き戻されて、後側生地２ｂが下限まで下降可能となる。
【０１０４】
このような下降動作の開始時には、駆動軸９ｂの回転にともなって第二のクラッチユニット２４ｂの伝達ドラム２７及び回転ドラム２５が回転されるが、クラッチドラム２６はストップバネ２８によりその回転が阻止されている。
【０１０５】
すると、クラッチボール３９は図１９及び図２０に示すように、案内溝３６内において係合溝３７から解除溝３８に向かって移動し、図２１に示すように解除溝３８内に移動する。
【０１０６】
従って、回転ドラム２５がわずかに回転した後は、伝達ドラム２７の回転が回転ドラム２５に伝達されることはない。
このような後側生地２ｂの下降操作時において、ボールチェーン１８の操作により駆動ギヤ１５を介して伝達ギヤ２１ａがわずかに回転されるが、第一のクラッチユニット２４ａでは、クラッチボール３９が伝達ドラム２７の係止突起４０から離れる方向に移動するため、伝達ドラム２７が回転されることはない。
【０１０７】
従って、後側生地２ｂを下降させるためにボールチェーン１８を操作するとき、前側生地２ａが動作することはない。
また、後側生地２ｂが下降動作を開始するとき、第二のクラッチユニット２４ｂの回転ドラム２５がわずかに回転されるが、同回転ドラム２５は切り欠き部３１により伝達ギヤ２１ｂに対し相対回転するので、同回転ドラム２５の回転が伝達ギヤ２１ｂに伝達されることはない。従って、後側生地２ｂの下降操作により前側生地２ａが動作することはない。
【０１０８】
［後側生地２ｂの下降停止操作］
後側生地２ｂの下降動作を途中で停止させる場合には、室外側に垂下されるボールチェーン１８をわずかに下方へ引く。すると、駆動ギヤ１５が回転され、伝達ギヤ２１ｂを介して第二のクラッチユニット２４ｂの回転ドラム２５が回転される。
【０１０９】
そして、前側生地２ａの下降停止操作時の第一のクラッチユニット２４ａと第一のストッパーユニット４３ａの動作と同様に第二のクラッチユニット２４ｂ及び第二のストッパーユニット４３ｂが動作して、後側生地２ｂの下降動作が停止される。
【０１１０】
このような下降停止操作時にも、上記後側生地２ｂの引き上げ操作時及び下降操作時と同様に、ボールチェーン１８の操作により前側生地２ａが動作することはない。
【０１１１】
上記のような二重たくし上げカーテンでは、次に示す作用効果を得ることができる。
（１）一本のボールチェーン１８の操作により、前側生地２ａの昇降操作と、後側生地２ｂの昇降操作とをそれぞれ独立して行うことができる。
（２）前側生地２ａ及び後側生地２ｂは、ボールチェーン１８のワンタッチ操作に基づいて、自重による下降操作が可能であるので、その下降操作を容易に行うことができる。
（３）前側生地２ａ及び後側生地２ｂの昇降操作を、一本のボールチェーン１８で行うことができるので、その昇降操作を容易にかつ迅速に行うことができる。
（４）前側生地２ａの昇降操作時に後側生地２ｂが昇降されることはなく、後側生地２ｂの昇降操作時に前側生地２ａが昇降されることはない。
（５）前側生地２ａを引き上げ操作する場合には、室内側に垂下されるボールチェーン１８を下方に引く操作を行えばよい。また、前側生地２ａを所望位置まで引き上げた後はボールチェーン１８を手放せば、前側生地２ａの自重降下が阻止されて、前側生地２ａが所望位置に吊下支持される。前側生地２ａを下降操作する場合には室内側に垂下されたボールチェーン１８を僅かに下方へ引き下げた後手放せば、前側生地２ａをその自重により下降操作することができる。また、前側生地２ａの下降操作を停止する場合には、室内側に垂下されたボールチェーン１８をわずかに下方へ引けばよい。従って、前側生地２ａの昇降操作は、室内側に垂下されるボールチェーン１８を操作することにより行うことができるので、その昇降操作を迅速にかつ容易に行うことができる。
（６）後側生地２ｂを引き上げ操作する場合には、室外側に垂下されるボールチェーン１８を下方に引く操作を行えばよい。また、後側生地２ｂを所望位置まで引き上げた後はボールチェーン１８を手放せば、後側生地２ｂの自重降下が阻止されて、後側生地２ｂが所望位置に吊下支持される。後側生地２ｂを下降操作する場合には室外側に垂下されたボールチェーン１８を僅かに下方へ引き下げた後手放せば、後側生地２ｂをその自重により下降操作することができる。また、後側生地２ｂの下降操作を停止する場合には、室外側に垂下されたボールチェーン１８をわずかに下方へ引けばよい。従って、後側生地２ｂの昇降操作は、室外側に垂下されるボールチェーン１８を操作することにより行うことができるので、その昇降操作を迅速にかつ容易に行うことができる。
【０１１２】
（第二の実施の形態）
図２２及び図２３は、第二の実施の形態を示す。この実施の形態は、室内側にたくし上げカーテンを吊下支持し、室外側にロールブラインドを吊下支持して、前記第一の実施の形態と同様に一本のボールチェーンでそれぞれ独立して昇降操作を可能とするものである。前記実施の形態と同一構成部分は、同一符号を付して説明する。
【０１１３】
ヘッドボックス１の一端には操作装置６１が設けられる。その操作装置６１内には図２４に示すプーリー１７が回転可能に支持され、そのプーリー１７にボールチェーン１８が掛装されている。
【０１１４】
そして、ボールチェーン１８の操作に基づいてプーリー１７が回転され、そのプーリー１７の回転に基づいて駆動ギヤ１５が回転される。前記駆動ギヤ１５の回転は、図２５に示す伝達ギヤ６２ａ，６２ｂに伝達される。
【０１１５】
ヘッドボックス１から垂下されるたくし上げカーテンは、前記第一の実施の形態において室内側に垂下される前側生地２ａと同一構成である。そして、伝達ギヤ６２ａの回転に基づいて、第一のクラッチユニット２４ａ及び第一のストッパーユニット４３ａが動作して、第一の実施の形態と同様な昇降操作が可能である。
【０１１６】
前記ヘッドボックス１の他端に取着された軸受プレート６３と、前記操作装置６１との間には、ロールブラインドの巻取軸６４が回転可能に支持されている。そして、巻取軸６４の室外側からスクリーン６８が垂下されている。
【０１１７】
前記巻取軸６４の一端部には第二のクラッチユニット２４ｂが配設される。この第二のクラッチユニット２４ｂは、前記第一の実施の形態の第二のクラッチユニット２４ｂと同一構成であり、前記伝達ギヤ６２ｂの回転に基づいて動作する。
【０１１８】
前記第二のクラッチユニット２４ｂの伝達ドラム２７は、パイプキャップ６５を介して巻取軸６４と一体に回転する。
前記巻取軸６４の他端部には、公知のストッパーユニット６６及びオイルダンパー６７が配設される。ストッパーユニット６６は前記第一の実施の形態のストッパーユニット４３ｂと同様に動作する。また、オイルダンパー６７はスクリーン６８の下降速度を所定速度以下に制限するものである。
【０１１９】
このように構成されたたくし上げカーテン及びロールブラインドでは、前記第一の実施の形態と同様に、室内側に垂下されたボールチェーン１８を操作することにより、前側生地２ａの昇降操作を行うことができる。
【０１２０】
また、室外側に垂下されたボールチェーン１８を操作することにより、ロールブラインドのスクリーン６８を昇降操作することができる。
従って、第一の実施の形態の後側生地２ｂがロールブラインドのスクリーン６８に変わった点を除いて、第一の実施の形態と同様な作用効果を得ることができる。
【０１２１】
（第三の実施の形態）
図２６は、第三の実施の形態を示す。この実施の形態は、前記第一及び第二の実施の形態の第一及び第二のクラッチユニット２４ａ，２４ｂに対する別の実施の形態を示すものである。クラッチユニット以外の構成は、第一あるいは第二の実施の形態と同様である。
【０１２２】
第三のシャフト７１は、前記実施の形態と同様にキャップを介してヘッドボックスに対し回転不能に支持される。駆動ドラム７２は、第三のシャフト７１に対し回転可能にかつ軸方向に移動不能に支持され、前記実施の形態と同様に、ボールチェーンの操作に基づいて駆動ギヤ及び図２８に示す伝達ギヤ８９を介して回転される。
【０１２３】
前記伝達ギヤ８９は、第三のシャフト７１に対し回転可能に支持され、中心に対し６０°の範囲で係合部９０が形成される。図２６に示す駆動ドラム７２の係合部７２ａは、伝達ギヤ８９の係合部９０と同一回動軌跡上に位置し、中心に対し６０°の範囲で形成されている。
【０１２４】
従って、伝達ギヤ８９と駆動ドラム７２は、係合部９０，７２ａが互いに当接したとき一体に回転するため、前記第一の実施の形態と同様に、伝達ギヤ８９と駆動ドラム７２との間には、所定角度の空転領域が存在する。
【０１２５】
前記駆動ドラム７２に隣接して、クラッチドラム７３が第三のシャフト７１に対し回転可能に、かつ軸方向に移動可能に支持されている。前記クラッチドラム７３は、図２８に示すように、その外周面に案内溝７４が中心に対し点対称状に形成され、その案内溝７４は係合溝７５と解除溝７６とが軸方向にオフセットされて形成されている。
【０１２６】
前記駆動ドラム７２とクラッチドラム７３との間にはスリップバネ７７が配設されている。クラッチドラム７３は駆動ドラム７２を支点とするスリップバネ７７の付勢力により、駆動ドラム７２から離間する方向、すなわち図２６に示す矢印Ｅ方向に付勢されている。
【０１２７】
前記クラッチドラム７３に隣接して、前記第三のシャフト７１にはカラー７８が回転不能に嵌着され、そのカラー７８の外周面にはストップバネ７９が巻着されている。ストップバネ７９の両端部８０ａ，８０ｂは、図２７に示すように、径方向に折り曲げられ、その両端部８０ａ，８０ｂ間に前記クラッチドラム７３の係合部７３ａが突出されている。
【０１２８】
そして、係合部７３ａがストップバネ７９の端部８０ａ，８０ｂのいずれかに当接すると、ストップバネ７９とカラー７８との摩擦が増大して、クラッチドラム７３の回転が阻止されるようになっている。
【０１２９】
前記クラッチドラム７３の周囲には、回転ドラム８１が回転可能に、かつ軸方向に移動可能に支持されている。回転ドラム８１には前記駆動ドラム７２側に開口する係合凹部８２が形成され、その係合凹部８２には前記駆動ドラム７２に形成された係合凸部８３が係合されている。従って、回転ドラム８１は駆動ドラム７２と一体に回転される。
【０１３０】
前記回転ドラム８１の内周面には、前記クラッチドラム７３の案内溝７４に係合する半球状のクラッチ凸部８４が形成されている。そして、回転ドラム８１が回転すると、クラッチ凸部８４が案内溝７４に案内されて、回転ドラム８１が軸方向に移動するようになっている。
【０１３１】
前記回転ドラム８１の内周面には、前記ストップバネ７９の端部８０ａ，８０ｂに当接する係合部８５が形成されている。そして、係合部８５が端部８０ａ，８０ｂのいずれかに係合すると、ストップバネ７９とカラー７８との摩擦が低減されて、ストップバネ７９及びクラッチドラム７３が回転ドラム８１と一体に回転される。
【０１３２】
前記第三のシャフト７１の先端部には、伝達ドラム８６が回転可能に、かつ軸方向に移動不能に支持されている。伝達ドラム８６の基端側端面、すなわち前記回転ドラム８１に対向する端面には、一対の鋸歯状の被動係止歯８７が形成されている。
【０１３３】
前記回転ドラム８１の先端側端面、すなわち前記伝達ドラム８６に対向する端面には、一対の鋸歯状の駆動係止歯８８が形成される。そして、回転ドラム８１が回転されて伝達ドラム８６側に移動すると、駆動係止歯８８が被動係止歯８７に係合して、回転ドラム８１と伝達ドラム８６とが一体に回転される。
【０１３４】
また、図２９、図３０に示すように、回転ドラム８１が駆動ドラム７２側に移動すると、駆動係止歯８８と被動係止歯８７との係合が解除されて、伝達ドラム８６が自在に回転可能な状態となる。
【０１３５】
前記伝達ドラム８６は、例えば第一の実施の形態の駆動軸９ａ，９ｂと同様な駆動軸と一体に回転するように連結される。また、駆動軸は第一の実施の形態と同様なストッパーユニットによりその回転動作が制御される。
【０１３６】
このように構成されたクラッチユニットを備えた二重たくし上げカーテンでは、ボールチェーンの操作により、駆動ドラム７２が生地の引き上げ方向に回転されると、クラッチドラム７３の回転がストップバネ７９により阻止された状態で、回転ドラム８１が回転される。
【０１３７】
そして、クラッチ凸部８４が係合溝７５内に案内されて、回転ドラム８１が伝達ドラム８６に向かって移動し、駆動係止歯８８が被動係止歯８７に係合する。すると、駆動ドラム７２の回転が回転ドラム８１を介して伝達ドラム８６に伝達され、伝達ドラム８６の回転に基づいて、生地が引き上げられる。
【０１３８】
このとき、駆動係止歯８８が被動係止歯８７に係合した後は、回転ドラム８１の係合部がストップバネ７９の端部８０ａに当接するため、クラッチドラム７３及びストップバネ１９は駆動ドラム７２と一体に回転される。
【０１３９】
生地を所望位置まで引き上げた後、ボールチェーンを手放したときには、ストッパーユニットの動作により、生地の自重降下が阻止される。
生地が所望位置に吊下支持されている状態から、ボールチェーンを前記引き上げ操作と同方向へ僅かに操作して、ストッパーユニットで自重降下を許容する状態とすると、駆動軸及び伝達ドラム８６を介して回転ドラム８１が生地の下降方向に回転される。
【０１４０】
すると、クラッチドラム７３の回転が阻止された状態で回転ドラム８１が回転され、その回転に基づいて回転ドラム８１が駆動ドラム７２側に移動する。この結果、回転ドラム８１の駆動係止歯８８と伝達ドラム８６の被動係止歯８７との係合が解除され、伝達ドラム８６は自在に回転可能な状態となる。従って、生地は自重により下降する。
【０１４１】
生地の下降動作を停止するには、ボールチェーンをさらに同方向へ僅かに引くと、駆動ドラム７２が回転されて回転ドラム８１が伝達ドラム８６と係合する状態となる。そして、第一の実施の形態と同様に、ストッパーユニットの動作により、生地の自重降下が阻止される。
【０１４２】
このような動作により、この実施の形態のクラッチユニットを備えたたくし上げカーテンでは、前記第一の実施の形態と同様な作用効果を得ることができる。また、この実施の形態では、回転ドラム８１の一対の係合部８５をクラッチドラム７３の一対の案内溝７４に係合させたので、回転ドラム８１を軸方向に円滑に移動させることができる。
（第四の実施の形態）
図３１及び図３２は、第四の実施の形態を示す。この実施の形態は、前記第二の実施の形態のロールブラインドのスクリーンを、巻取軸内に配設される捩じりコイルスプリングの付勢力により巻き上げる自動巻き上げ型の公知のロールブラインドとしたものである。そして、図３１及び図３２はその操作装置を示す。
【０１４３】
操作装置１０１内にはプーリー１７が回転可能に支持され、そのプーリー１７にボールチェーン１８が掛装されている。
そして、ボールチェーン１８の操作に基づいてプーリー１７が回転され、そのプーリー１７の回転に基づいて駆動ギヤ１５が回転される。前記駆動ギヤ１５の回転は、伝達ギヤ６２ａに伝達される。
【０１４４】
ヘッドボックス１から垂下されるたくし上げカーテンは、前記第一の実施の形態において室内側に垂下される前側生地２ａと同一構成である。そして、伝達ギヤ６２ａの回転に基づいて、第一のクラッチユニット及び第一のストッパーユニットが動作して、第一の実施の形態と同様な昇降操作が可能である。
【０１４５】
前記駆動ギヤ１５の回転は、カウンターギヤ１０２を介して伝達ギヤ６２ｂに伝達される。従って、駆動ギヤ１５の回転に対する伝達ギヤ６２ｂの回転方向は、前記第二の実施の形態と逆方向となる。
【０１４６】
伝達ギヤ６２ｂの回転に基づいて、ロールブラインドの巻取軸内に配設される第二のクラッチユニット及び第二のストッパーユニットが動作して、スクリーンの昇降操作が行われる。
【０１４７】
この第二のクラッチユニット及び第二のストッパーユニットは、前記第二の実施の形態とは逆方向の回転で同様な動作を行う。
このような操作装置１０１の操作に基づくたくし上げカーテン及びロールブラインドの動作を説明する。
【０１４８】
ボールチェーン１８の操作により、駆動ギヤ１５が矢印Ｃ方向に回転されると、伝達ギヤ６２ａが矢印Ｈ方向に回転される。すると、第一のクラッチユニットの動作により、たくし上げカーテンが引き上げられる。
【０１４９】
このとき、伝達ギヤ６２ｂは矢印Ｅ方向に回転されるが、第二のクラッチユニットの動作により、ロールブラインドのスクリーンが昇降されることはない。
駆動ギヤ１５が矢印Ｃ方向に回転された後、ボールチェーン１８の操作を停止すると、第一のストッパーユニットの動作により、たくし上げカーテンの自重降下が阻止される。
【０１５０】
この状態から、ボールチェーン１８を操作して、駆動ギヤ１５を矢印Ｃ方向に僅かに回転させると、第一のストッパーユニットの動作が解除されて、たくし上げカーテンが自重降下する。
【０１５１】
一方、ボールチェーン１８の操作により、駆動ギヤ１５が矢印Ｆ方向に回転されると、伝達ギヤ６２ｂが矢印Ｇ方向に回転される。すると、第二のクラッチユニットの動作により、ロールブラインドのスクリーンが下降する。
【０１５２】
このとき、伝達ギヤ６２ａは矢印Ｄ方向に回転されるが、第一のクラッチユニットの動作により、たくし上げカーテンが昇降されることはない。
駆動ギヤ１５が矢印Ｆ方向に回転された後、ボールチェーン１８の操作を停止すると、第二のストッパーユニットの動作により、ロールブラインドのスクリーンが所望位置に吊下支持される。
【０１５３】
この状態から、ボールチェーン１８を操作して、駆動ギヤ１５を矢印Ｆ方向に僅かに回転させると、第二のストッパーユニットの動作が解除されて、ロールブラインドのスクリーンが捩じりコイルスプリングの付勢力により自動的に巻き上げられる。
【０１５４】
このように構成されたたくし上げカーテン及びロールブラインドでは、前記第一の実施の形態と同様に、室内側に垂下されたボールチェーン１８を操作することにより、たくし上げカーテンの昇降操作を行うことができる。
【０１５５】
また、室外側に垂下されたボールチェーン１８を操作することにより、ロールブラインドのスクリーンを昇降操作することができる。
従って、第二の実施の形態のロールブラインドがスクリーンを自動的に引き上げる構成に変わった点を除いて、第二の実施の形態と同様な作用効果を得ることができる。
【０１５６】
上記実施の形態は、次に示すように変更することもできる。
・伝達ドラム２７の係止突起４０は、一つのみとしてもよい。
・円板部２２の凸部２３は、少なくとも一つあればよい。
・第一及び第二のストッパーユニット４３ａ，４３ｂは、駆動軸９ａ，９ｂを貫通し得る位置であれば、ヘッドボックス１内の任意の位置に設けてもよい。
・たくし上げカーテンやロールブラインドに代えて、プリーツカーテンや横型ブラインドの昇降装置に応用してもよい。
・クラッチドラム２６の案内溝３６は、係合溝３７の一方にのみ解除溝３８を設けてもよい。
【０１５７】
【発明の効果】
以上詳述したように、この発明は二重の日射遮蔽材を一本の操作コードでそれぞれ独立して昇降操作可能とするとともに、各日射遮蔽材の引き上げ操作あるいは下降操作のいずれかを操作コードのワンタッチ操作により自動動作可能として、日射遮蔽材を容易に昇降操作可能とした昇降装置を提供することができる。
【図面の簡単な説明】
【図１】第一の実施の形態の二重たくし上げカーテンを示す一部破断正面図である。
【図２】第一の実施の形態を示す右側面図である。
【図３】第一の実施の形態を示す一部破断左側面図である。
【図４】操作装置を示す断面図である。
【図５】操作装置内のプーリーを示す正面図である。
【図６】操作装置内のギヤ機構を示す正面図である。
【図７】プレートを示す正面図である。
【図８】クラッチユニットを示す分解斜視図である。
【図９】駆動ドラムを示す側面図である。
【図１０】クラッチユニットの動作を示す説明図である。
【図１１】伝達ドラムの案内溝を示す展開図である。
【図１２】クラッチユニットの動作を示す説明図である。
【図１３】クラッチユニットの動作を示す説明図である。
【図１４】クラッチユニットの動作を示す説明図である。
【図１５】クラッチユニットの動作を示す説明図である。
【図１６】クラッチユニットの動作を示す説明図である。
【図１７】ストッパーユニットを示す断面図である。
【図１８】ストッパー案内溝を示す展開図である。
【図１９】クラッチユニットの動作を示す説明図である。
【図２０】クラッチユニットの動作を示す説明図である。
【図２１】クラッチユニットの動作を示す説明図である。
【図２２】第二の実施の形態を示す一部破断正面図である。
【図２３】第二の実施の形態を示す右側面図である。
【図２４】操作装置を示す正面図である。
【図２５】操作装置を示す正面図である。
【図２６】第三の実施の形態を示す断面図である。
【図２７】第三の実施の形態を示す断面図である。
【図２８】第三の実施の形態を示す分解斜視図である。
【図２９】第三の実施の形態を示す断面図である。
【図３０】第三の実施の形態を示す断面図である。
【図３１】第四の実施の形態の操作装置を示す正面図である。
【図３２】第四の実施の形態の操作装置を示す正面図である。
【符号の説明】
１　　　　　ヘッドボックス
２ａ　　　　　第一の日射遮蔽材（前側生地）
２ｂ　　　　　第二の日射遮蔽材（後側生地）
１８　　　　　操作コード（ボールチェーン）
７ａ　　　　　第一の昇降動作部（巻取軸）
７ｂ　　　　　第二の昇降動作部（巻取軸）
２４ａ　　　　　第一のクラッチユニット
２４ｂ　　　　　第二のクラッチユニット
４３ａ　　　　　第一のストッパーユニット
４３ｂ　　　　　第二のストッパーユニット
【図１】
2004016422.tif 000003
【図２】
2004016422.tif 000004
【図３】
2004016422.tif 000005
【図４】
2004016422.tif 000006
【図５】
2004016422.tif 000007
【図６】
2004016422.tif 000008
【図７】
2004016422.tif 000009
【図８】
2004016422.tif 000010
【図９】
2004016422.tif 000011
【図１０】
2004016422.tif 000012
【図１１】
2004016422.tif 000013
【図１２】
2004016422.tif 000014
【図１３】
2004016422.tif 000015
【図１４】
2004016422.tif 000016
【図１５】
2004016422.tif 000017
【図１６】
2004016422.tif 000018
【図１７】
2004016422.tif 000019
【図１８】
2004016422.tif 000020
【図１９】
2004016422.tif 000021
【図２０】
2004016422.tif 000022
【図２１】
2004016422.tif 000023
【図２２】
2004016422.tif 000024
【図２３】
2004016422.tif 000025
【図２４】
2004016422.tif 000026
【図２５】
2004016422.tif 000027
【図２６】
2004016422.tif 000028
【図２７】
2004016422.tif 000029
【図２８】
2004016422.tif 000030
【図２９】
2004016422.tif 000031
【図３０】
2004016422.tif 000032
【図３１】
2004016422.tif 000033
【図３２】
2004016422.tif 000034